(57)【要約】【課題】着座者の表示装置の利用を可能としながら、着座者及び他者の着座位置へのアクセスが良好な椅子装置を提供する。【解決手段】背凭れ５を含む椅子本体３と、背凭れ５の背凭れ面１３の上方における着座者の頭部位置ｈｐに向けてモニター装置３４を支持する支持腕３２と、を備え、支持腕３２は、椅子本体３の支持部（支持ブラケット３１）に支持され、頭部位置ｈｐの背面側から頭部位置ｈｐの上方を通って頭部位置ｈｐの正面側に至り、モニター装置３４を支持する。【選択図】図２
2017012594.tif 000002
【特許請求の範囲】
【請求項１】
背凭れを含む椅子本体と、
前記背凭れの背凭れ面の上方における着座者の頭部位置に向けて表示装置を支持する支持腕と、を備え、
前記支持腕は、前記椅子本体の支持部に支持され、前記頭部位置の背面側から前記頭部位置の上方を通って前記頭部位置の正面側に至り、前記表示装置を支持する、椅子装置。
【請求項２】
前記背凭れが後方へ傾斜可能なリクライニング式であり、
前記支持腕は、前記背凭れの傾斜に追従して傾斜する、請求項１に記載の椅子装置。
【請求項３】
前記支持部は、前記背凭れの背面に設けられる、請求項１又は２に記載の椅子装置。
【請求項４】
前記支持部は、前記背凭れの幅方向中心に設けられ、前記支持腕を前記背凭れの上下方向に沿う軸線を中心に回転可能に支持する、請求項３に記載の椅子装置。
【請求項５】
前記背凭れ面の上方にヘッドレストを備え、
前記ヘッドレストは、前記背凭れとは独立して変動可能であり、
前記支持腕は、前記ヘッドレストの変動に追従して変動する、請求項１に記載の椅子装置。
【請求項６】
前記支持部は、前記ヘッドレストの背面に設けられる、請求項５に記載の椅子装置。
【請求項７】
前記支持部は、前記ヘッドレストの幅方向中心に設けられ、前記支持腕を前記ヘッドレストの上下方向に沿う軸線を中心に回転可能に支持する、請求項６に記載の椅子装置。
【請求項８】
前記頭部位置の両側方に側方遮蔽部を備える、請求項１から７の何れか一項に記載の椅子装置。
【発明の詳細な説明】
【技術分野】
【０００１】
本発明は、着座者用の表示装置を備える椅子装置に関する。
【背景技術】
【０００２】
特許文献１には、リクライニング椅子において、着座者の姿勢に合わせてモニター装置を配置可能とするモニターアームを備えたものが開示されている。
【先行技術文献】
【特許文献】
【０００３】
【特許文献１】特許第２８８８８７０号公報
【発明の概要】
【発明が解決しようとする課題】
【０００４】
特許文献１の構成では、モニターアームが背凭れの側面に支持され、リクライニングに連動してモニターアームが後方へ傾斜することが可能である。しかし、モニターアームが着座者の側方から前方に延伸しているため、着座者の椅子への乗降時、又は他者が着座者に接近する際の障害となってしまう。
【０００５】
そこで本発明は、着座者の表示装置の利用を可能としながら、着座者及び他者の着座位置へのアクセスが良好な椅子装置の提供を目的とする。
【課題を解決するための手段】
【０００６】
上記課題を解決するために、本発明の椅子は、背凭れを含む椅子本体と、前記背凭れの背凭れ面の上方における着座者の頭部位置に向けて表示装置を支持する支持腕と、を備え、前記支持腕は、前記椅子本体の支持部に支持され、前記頭部位置の背面側から前記頭部位置の上方を通って前記頭部位置の正面側に至り、前記表示装置を支持することを特徴とする。
この構成によれば、表示装置を支持する支持腕が椅子本体の両側方及び前方を通らなくなるので、表示装置の支持腕が着座者の椅子への乗降、及び他者の着座者への接近等に対する障害になることを防止することができる。すなわち、着座者の表示装置の利用を可能としながら、着座者及び他者の着座位置へのアクセスを良好にし、特に長時間の着座使用を要する医療用椅子にも好適な構成とすることができる。
【０００７】
また、上記椅子装置において、前記背凭れが後方へ傾斜可能なリクライニング式であり、前記支持腕は、前記背凭れの傾斜に追従して傾斜する構成でもよい。
この場合、背凭れのリクライニングに合わせて表示装置も傾動するので、背凭れのリクライニング時にも着座者の視線の変化を抑えて表示装置を利用可能とすることができる。
また、上記椅子装置において、前記支持部は、前記背凭れの背面に設けられる構成でもよい。
この場合、連動機構等を設けることなく、支持腕を背凭れに合わせて傾動可能とすることができる。
また、上記椅子装置において、前記支持部は、前記背凭れの幅方向中心に設けられ、前記支持腕を前記背凭れの上下方向に沿う軸線を中心に回転可能に支持する構成でもよい。
この場合、背凭れの背面で幅方向中心に支持される支持腕を、背凭れの上下方向に沿う軸線を中心に回転させることが可能となる。このため、頭部位置の周囲を旋回させるように表示装置の位置を変更可能となり、着座者の頭部の向きに応じて着座者の視線から外れないように表示装置を配置することができる。
【０００８】
また、上記椅子装置において、前記背凭れ面の上方にヘッドレストを備え、前記ヘッドレストは、前記背凭れとは独立して変動可能であり、前記支持腕は、前記ヘッドレストの変動に追従して変動する構成でもよい。
この場合、ヘッドレストの傾動及び上下動等の変動に合わせて表示装置も変動するので、ヘッドレストの変動時にも個々の着座者の視線に合わせて、かつ着座者の視線の変化を抑えて表示装置を利用可能とすることができる。
また、上記椅子装置において、前記支持部は、前記ヘッドレストの背面に設けられる構成でもよい。
この場合、連動機構等を設けることなく、支持腕をヘッドレストに合わせて変動可能とすることができる。
また、上記椅子装置において、前記支持部は、前記ヘッドレストの幅方向中心に設けられ、前記支持腕を前記ヘッドレストの上下方向に沿う軸線を中心に回転可能に支持する構成でもよい。
この場合、ヘッドレストの背面で幅方向中心に支持される支持腕を、ヘッドレストの上下方向に沿う軸線を中心に回転させることが可能となる。このため、頭部位置の周囲を旋回させるように表示装置の位置を変更可能となり、着座者の頭部の向きに応じて着座者の視線から外れないように表示装置を配置することができる。
また、上記椅子装置において、前記頭部位置の両側方に側方遮蔽部を備える構成でもよい。
この場合、側方遮蔽部と表示装置とで頭部位置を適宜遮蔽し、長時間着座使用する場合にも良好な私的空間を形成することができる。
【発明の効果】
【０００９】
本発明によれば、着座者の表示装置の利用を可能としながら、着座者及び他者の着座位置へのアクセスが良好な椅子装置を提供することができる。
【図面の簡単な説明】
【００１０】
【図１】本発明の第一実施形態における椅子装置の斜視図である。
【図２】上記椅子装置の側面図である。
【図３】上記椅子装置の上面図である。
【図４】上記椅子装置の背凭れ及びモニター支持装置を図２のＩＶ方向から見た矢視図である。
【図５】本発明の第二実施形態における椅子装置の図２に相当する側面図である。
【発明を実施するための形態】
【００１１】
以下、本発明の実施形態について図面を参照して説明する。なお、以下の説明における前後、左右及び上下の向きは、椅子の座体上で背凭れに背を向けて着座した着座者から見た向きを基準とする。また、前記着座者の「前方」を図中矢印ＦＲで示し、「上方」を図中矢印ＵＰで示し、「左方」を図中矢印ＬＨで示す。
【００１２】
＜第一実施形態＞
まず、本発明の第一実施形態について、図１〜図４を参照して説明する。
図１、図２に示すように、本実施形態の椅子装置１は、例えば医療や介護等に用いられるリクライニング椅子であり、長時間着座使用する際にも着座者が様々な姿勢を取ることができるように、例えば電動により着座者が椅子各部の姿勢及び位置等を任意に調整可能とされる。
【００１３】
椅子装置１は、床面Ｆ上に設置される枠状のベースフレーム２と、ベースフレーム２に昇降可能に支持される椅子本体３と、を備える。椅子本体３は、座体４、背凭れ５、下腿受け部６及び左右肘置き７を備えている。
【００１４】
座体４は、平面視矩形状の略水平な座面８（上面）を形成する。座体４の左右側方には、左右側板９が配置される。左右側板９は、側面視で上辺を前方に変位させた平行四辺形状に形成される。これら左右側板９の上辺部の間に座体４が配置される。左右側板９における前傾した前辺部の間には、格納位置にある下腿受け部６が配置される。座体４、左右側板９及び下腿受け部６は、ボックス状の機構収容部１０を形成する。機構収容部１０の内部には、椅子本体３を昇降させる昇降装置、背凭れ５をリクライニングさせるリクライニング機構等の各種駆動機構が収容される（何れも不図示）。
【００１５】
左右側板９の外側には、左右肘置き７の支持板１１が重なるように配置される。支持板１１は、側面視で上辺を前方に変位させた平行四辺形状に形成される。支持板１１の上辺部には、略水平な肘置き本体１２が支持される。支持板１１及び肘置き本体１２を含む肘置き７は、鉛直方向に対して前傾した方向に沿って昇降可能とされる。詳細には、肘置き７は、機構収容部１０内の駆動機構の作動により、側面視で肘置き本体１２を座面８の上方へ上昇させ、かつ肘置き本体１２の前端位置を座体４の前端位置と同等となるまで前進させた上昇位置と、側面視で肘置き本体１２を座面８の近くまで下降させ、かつ肘置き本体１２の前端位置を座体４の前端位置よりも後方に後退させた下降位置と、の間で昇降可能である。
【００１６】
下腿受け部６は、座体４の前下方で左右側板９の前辺部間に挟まれる格納位置と、座体４の前方で略水平に配置されるレッグアップ位置と、の間で傾動可能とされる。下腿受け部６は、機構収容部１０の前部に支持され、機構収容部１０内の駆動機構の作動により、前記格納位置とレッグアップ位置との間で傾動可能である。
【００１７】
背凭れ５は、座体４の後上方で起立する起立位置と、座体４の後方で略水平に配置されるリクライニング位置と、の間で傾動可能とされる。背凭れ５は、機構収容部１０の後部に支持され、機構収容部１０内のリクライニング機構の作動により、前記起立位置とリクライニング位置との間で傾動可能である。
【００１８】
背凭れ５は、着座者の背を支持する背凭れ面１３（前面）よりも上方に延出し、背凭れ面１３の上方にヘッドレスト１４を一体形成する。ヘッドレスト１４の前面は頭部支持面１６とされ、この頭部支持面１６の直前位置が着座者の頭部位置ｈｐとされる。本実施形態において、ヘッドレスト１４は背凭れ５の一部（上部）であるともいえる。なお、頭部支持面１６に別途クッションを設置してもよい。
【００１９】
ヘッドレスト１４の左右側部には、前方かつ左右外側に向けて起立する左右一対の側方遮蔽部１５が一体形成される。これにより、着座者の頭部側方の視界が適度に遮られるとともに、同方向からの視線が適度に遮られる。左右の側方遮蔽部１５には、頭部位置ｈｐに向けて音声を発するスピーカ１７が内蔵される。これら左右の側方遮蔽部１５とヘッドレスト１４の正面に配置されるモニター装置３４とを合わせて、外部からの遮蔽感の高い良好な私的空間が形成される。
【００２０】
椅子装置１は、図中実線で示すように、背凭れ５を起立位置とし、下腿受け部６を格納位置とすることで、椅子としての態様となる。このとき、肘置き７は上昇位置にあり、この肘置き７上には、着座姿勢にある着座者の肘及び前腕が載置され、透析等の医療行為が継続可能とされる。
また、椅子装置１は、図中鎖線で示すように、背凭れ５をリクライニング位置とし、下腿受け部６をレッグアップ位置とすることで、座体４、背凭れ５及び下腿受け部６を略水平に連ねたベッドとしての態様となる。このとき、肘置き７は下降位置にあり、この肘置き７上には、横臥姿勢にある着座者の肘及び前腕が載置され、リクライニング前の医療行為が継続可能とされる。
【００２１】
このように、椅子装置１は、着座者の姿勢を着座姿勢から横臥姿勢まで様々な姿勢に変化させることができる。なお、背凭れ５、下腿受け部６及び肘置き７は、個々に任意の位置調整を可能としてもよいが、着座者の前腕に透析又は点滴治療といった医療行為が施される場合、背凭れ５のリクライニングと肘置き７の昇降とは連動して行われることが好ましい。透析等の医療行為は長時間に亘るため、患者（着座者）にとって長時間同じ姿勢をとり続けることは負担となる。そこで、背凭れ５等の位置調整により患者の身体の姿勢を変えることで、患者の負担を軽減することができる。
【００２２】
椅子装置１はさらに、椅子本体３の左右側板９の外側に支持されるテーブル装置２０と、椅子本体３の背凭れ５の背面側に支持されるモニター支持装置３０と、を備える。
【００２３】
テーブル装置２０は、側板９の外側に固定される不図示の支持ブラケットに下部が回動可能に支持される支持腕２１と、支持腕２１の上部に支持される天板ユニット２３と、を備える。支持腕２１の上部は、略水平に延びる片持ち腕部２２とされる。天板ユニット２３は、片持ち腕部２２の基端側に固定的に支持される固定天板２４と、片持ち腕部２２の先端側に傾動可能に支持される可動天板２５と、を備える。
なお、図では左側板９に支持ブラケットを設けてテーブル装置２０を支持しているが、左右側板９に支持ブラケットを設けて何れの側板９でテーブル装置２０を支持してもよい。
【００２４】
モニター支持装置３０は、背凭れ５の背面に固定される支持ブラケット３１に下部３２ａ（基部）が回動可能に支持される支持腕３２と、支持腕３２の先端側でモニタージョイント３３を介して支持されるモニター装置３４と、を備える。支持腕３２は、支持ブラケット３１からヘッドレスト１４前方の頭部位置ｈｐの上方を通って頭部位置ｈｐの正面側に至り、モニタージョイント３３を介してモニター装置３４を支持する。モニタージョイント３３は、矩形板状のモニター装置３４の面方向に沿う二軸と法線方向に沿う一軸とでモニター装置３４を傾動及び回動可能に支持する。
【００２５】
以下、モニター支持装置３０の詳細について説明する。
図２、図４に示すように、支持ブラケット３１は、背凭れ５の背面の幅方向（左右方向）の中心位置に固定される。支持ブラケット３１は、背凭れ５の上下方向に沿う中空状をなし、支持腕３２の下部３２ａを回転可能に挿通支持する。
【００２６】
なお、背凭れ５の上下方向とは、本実施形態では背凭れ５における側面視で傾動基端側から傾動先端側へ直線状に延びる背面パネル１８の幅方向中心に沿う方向であり、背凭れ５に傾動中心がある場合、側面視で傾動中心から傾動先端に至る直線に沿う方向に相当する。背凭れ５の上下方向は、背凭れ５が着座位置にあるときには、側面視で鉛直方向に対してやや後傾した方向であり、背凭れ５がリクライニング位置にあるときには、側面視で水平方向に対してやや前上がりに傾斜した方向である。以下、特に記載がなければ、背凭れ５が着座位置にあるときの構成について説明する。
【００２７】
支持ブラケット３１は、例えば複数の金属部材で構成され、これらを締結等により緊縛することで、支持腕３２の回転が固定される。これにより、支持腕３２の下部３２ａが、背凭れ５の背面側に、背凭れ５の上下方向に沿う軸線３１ａを中心に回転可能に支持されるとともに、支持腕３２の回転角度が、任意の角度又は段階的な角度に調整可能とされる。なお、支持腕３２の回転は、例えば電動の不図示の駆動機構により着座者が任意に行えるようにしてもよい。
【００２８】
図１、図３を併せて参照し、支持腕３２は、例えば丸鋼管に曲げ加工を施して一体形成される。なお、本実施形態の支持腕３２は、例えば支持ブラケット３１に挿通される下部３２ａの中心軸線３１ａ（支持腕３２の回転軸線）を含む平面に沿って二次元的に曲げ加工が施されるが、三次元的な曲げ加工が施されてもよい。以下、特に記載がなければ、支持腕３２が背凭れ５の幅方向中心に沿って配置されたときの構成について説明する。
【００２９】
支持腕３２は、支持ブラケット３１に挿通される下部３２ａを含んで背凭れ５の上下方向に沿って延びる背面側延出部３５と、背面側延出部３５の上端部から前方への屈曲部を介して前方へ直線状に延びる前方延出部３６と、前方延出部３６の前端部から下方への屈曲部を介して下方へ直線状に延びる下方延出部３７と、を有する。
前方延出部３６は、背凭れ５の上下方向で頭部位置ｈｐよりも上方を通過する。下方延出部３７は、背凭れ５の頭部位置ｈｐの前方に離間し、座体４の前端部よりも前方に配置される。下方延出部３７は、例えば背面側延出部３５と平行に形成される。
【００３０】
モニター装置３４（ディスプレイ装置）は、下方延出部３７の下部の後方（頭部位置ｈｐ側）にモニタージョイント３３を介して支持される。モニター装置３４は矩形板状をなし、その一側面に設けられる液晶パネル等の表示画面３４ａを頭部位置ｈｐ側に向けて配置される。
【００３１】
モニタージョイント３３は、モニター装置３４の他側面に後端支持具３８を結合するとともに、前端支持具３９を支持腕３２の下方延出部３７の下部前面に結合する。後端支持具３８及び前端支持具３９の間には、モニター装置３４の面方向に沿う縦回動軸及び横回動軸を有する自在継手４０が介設される。さらに、例えば後端支持具３８は、自在継手４０の後端にモニター装置３４の法線方向に沿う面直回動軸を介して支持される。これにより、モニター装置３４は、頭部位置ｈｐの前方に三軸の回動が可能な状態で配置され、個々の着座者の視線に合わせて表示画面３４ａの向き及び角度等を調整可能となる。
【００３２】
図２に示すように、モニター支持装置３０は、背凭れ５のリクライニングに合わせて一体的に傾動するので、リクライニング時にも頭部位置ｈｐとモニター装置３４との相対位置を変化させず、着座者の視線の変化を抑えてモニター装置３４を見易くする。
図４に示すように、背凭れ５をその上下方向から見ると、ヘッドレスト１４前方の頭部位置ｈｐと背凭れ５背面の支持ブラケット３１とは互いに近接する。このため、支持ブラケット３１に挿通される支持腕３２の下部３２ａを中心にモニター支持装置３０が回動すると、支持腕３２の先端側で頭部位置ｈｐに向けて支持されたモニター装置３４は、頭部位置ｈｐとの距離を大きく変化させることなく左右に旋回可能である。
【００３３】
このため、特に背凭れ５をリクライニング位置として着座者が横臥姿勢にあるとき、着座者が仰向きか横向きかに応じてモニター支持装置３０の回動位置を変化させても、モニター装置３４と頭部位置ｈｐとの距離に大きな変化がなく、モニター装置３４の見易さが確保される。
そして、モニター支持装置３０の支持腕３２は、背凭れ５の背面から頭部位置ｈｐの上方を通って頭部位置ｈｐの正面側に至るので、支持腕３２が椅子の側方及び前方を通らなくなり、着座者の椅子への乗降及び他者の着座者への接近等の妨げになることはない。
【００３４】
以上説明したように、上記実施形態における椅子装置１によれば、椅子本体３の支持部に支持されるモニター装置３４の支持腕３２が、着座者の頭部位置ｈｐの背面側から頭部位置ｈｐの上方を通って頭部位置ｈｐの正面側に至り、先端側にモニター装置３４を支持するという構成により、着座者のモニター装置３４の利用を可能としながら、着座者及び他者の着座位置へのアクセスを良好にし、特に長時間の着座使用を要する医療用椅子にも好適な構成とすることができる。
【００３５】
また、支持腕３２が、リクライニング式の背凭れ５の傾斜に追従して傾斜することにより、背凭れ５のリクライニングに合わせてモニター装置３４も傾動するので、背凭れ５のリクライニング時にも着座者の視線の変化を抑えてモニター装置３４を利用することができる。
また、支持腕３２は背凭れ５の傾動とリンク、ギヤ及びベルト等を介して連動させることも可能であるが、支持ブラケット３１が背凭れ５の背面に設けられる構成であれば、前述のような連動機構を設けることなく、支持腕３２を背凭れ５に合わせて傾動可能とすることができる。
【００３６】
また、支持ブラケット３１が、背凭れ５の幅方向中心に設けられ、支持腕３２を背凭れ５の上下方向に沿う軸線３１ａを中心に回転可能に支持することで、背凭れ５の背面で幅方向中心に支持される支持腕３２を、背凭れ５の上下方向に沿う軸線３１ａを中心に回転させることが可能となる。このため、頭部位置ｈｐの周囲を旋回させるようにモニター装置３４の位置を変更可能となり、着座者の頭部の向きに応じて着座者の視線から外れないようにモニター装置３４を配置することができる。
また、頭部位置ｈｐの両側方に側方遮蔽部１５を備えることで、側方遮蔽部１５とモニター装置３４とで頭部位置ｈｐを適宜遮蔽し、長時間着座使用する場合にも良好な私的空間を形成することができる。
【００３７】
＜第二実施形態＞
次に、本発明の第二実施形態について、図５を参照して説明する。
この実施形態の椅子装置１０１は、前記第一実施形態に対して、互いに別体の背凭れ１０５とヘッドレスト１１４とを備え、ヘッドレスト１１４が背凭れ１０５に対して独立して変動可能な点で特に異なる。その他の、前記実施形態と同一構成には同一符号を付して詳細説明は省略する。
【００３８】
この椅子装置１０１においても、背凭れ１０５背面に固定した前記支持ブラケット３１に前記モニター支持装置３０の支持腕３２を支持することは可能だが、図５に示すモニター支持装置１３０のように、ヘッドレスト１１４の背面に固定した支持ブラケット１３１に支持腕１３２を支持することで、支持腕１３２がヘッドレスト１１４の変動に追従して変動する構成であることが好ましい。この場合、ヘッドレスト１１４の傾動及び上下動等の変動に合わせてモニター装置３４も変動するので、ヘッドレスト１１４の変動時にも個々の着座者の視線に合わせて、かつ着座者の視線の変化を抑えてモニター装置３４を利用可能とすることができる。なお、支持腕１３２は、前記支持腕３２に対し、背面側延出部３５よりも短い背面側延出部１３５を有する点で異なり、他は同等の構成とする。支持ブラケット１３１には支持腕１３２の下部１３２ａが回動可能に挿通される。
【００３９】
また、支持腕１３２はヘッドレスト１１４の変動とリンク、ギヤ及びベルト等を介して連動させることも可能であるが、支持部ブラケットがヘッドレスト１１４の背面に設けられる構成であれば、前述のような連動機構を設けることなく、支持腕１３２をヘッドレスト１１４に合わせて変動可能とすることができる。
また、支持ブラケット１３１が、ヘッドレスト１１４の幅方向中心に設けられ、支持腕１３２をヘッドレスト１１４の上下方向に沿う軸線１３１ａを中心に回転可能に支持することで、ヘッドレスト１１４の背面で幅方向中心に支持される支持腕１３２を、ヘッドレスト１１４の上下方向に沿う軸線１３１ａを中心に回転させることが可能となる。このため、頭部位置ｈｐの周囲を旋回させるようにモニター装置３４の位置を変更可能となり、着座者の頭部の向きに応じて着座者の視線から外れないようにモニター装置３４を配置することができる。なお、ヘッドレスト１１４の上下方向とは、ヘッドレスト１１４における側面視で基端側（下端側）から先端側（上端側）へ直線状に延びる背面パネル１１８の幅方向中心に沿う方向である。
【００４０】
なお、本発明は上記実施形態に限られるものではなく、例えば、第二実施形態において、背凭れ１０５の上部が背凭れ面１３の上端よりも上方に延出し、この延出部分の前方に別体のヘッドレスト１１４が支持される構成でもよい。また、各実施形態のヘッドレストを備えず、背凭れ面１３の上方が開放された構成でもよい。
各実施形態において、支持腕が支持する表示装置は、放送、通信及び各種情報等を表示するモニター装置３４の他、雑誌、新聞及び書籍等を保持するホルダでもよい。また、支持腕の適所に例えば伸縮筒による長さ調整機構を設け、表示装置の位置を変更可能な範囲を広げてもよい。
各実施形態において、椅子装置の用途は何ら限定されず、医療行為及び療養等で長時間に亘り着座使用する医療用椅子に好適である他、家庭又は商業施設で使用されるリラクゼーション用椅子にも好適である。
そして、上記実施形態における構成は本発明の一例であり、当該発明の要旨を逸脱しない範囲で種々の変更が可能である。
【符号の説明】
【００４１】
１，１０１  椅子装置
３  椅子本体
５，１０５  背凭れ
１３  背凭れ面
１４，１１４  ヘッドレスト
１５  側方遮蔽部
３１，１３１  支持ブラケット（支持部）
３１ａ，１３１ａ  軸線
３２，１３２  支持腕
３４  モニター装置（表示装置）
ｈｐ  頭部位置
【図１】
2017012594.tif 000003
【図２】
2017012594.tif 000004
【図３】
2017012594.tif 000005
【図４】
2017012594.tif 000006
【図５】
2017012594.tif 000007